(57)【要約】      （修正有）【課題】火災から人や物を守りながら抑制消火を可能とする。【解決手段】倉庫等の大きな施設空間１２の上部平面に格子状に複数のシート展開装置１４が配置され、シート展開装置１４は、ロール状に巻き回された仕切シート３６を保持し、外部からの作動信号により仕切シート３６の保持を解除したときに、仕切シート３６の一端を固定した状態で落下させることにより上下に展開させ、火災受信盤等に設けられたシート展開制御部は、火災時に、火災発生場所を除く防護対象区画Ａ５を囲むように位置する複数のシート展開装置１４に作動信号を出力し、防護対象区画Ａ５を囲むように仕切シート３６を上下に展開して閉鎖させ、炎、煙及び熱から防護対象区画Ａ５内に位置する所定の防護対象を守り、消火ヘッド１８から防護対象区画Ａ５の外側に消火剤を散布させ、冷却剤散布ヘッドからシート面に冷却剤を散布する。【選択図】図４
2020139376.tif 000002
【特許請求の範囲】
【請求項１】
火災から所定の対象を防護する防災設備に於いて、
火災発生時に、火災発生場所を除く任意の防護対象区画を仕切る仕切手段が設けられたことを特徴とする防災設備。
【請求項２】
火災から所定の対象を防護する防災設備に於いて、
火災発生時に、火災発生場所を除く任意の防護対象区画を仕切り、更に、該防護対象区画の外側に隣接する任意の区画を仕切る仕切手段が設けられたことを特徴とする防災設備。
【請求項３】
請求項１又は２記載の防災設備に於いて、
少なくとも１の前記防護対象区画の仕切手段に冷却剤を散布する冷却剤散布手段を備えたことを特徴とする防災設備。
【請求項４】
請求項１又は２記載の防災設備に於いて、
全ての前記防護対象区画を除いた任意の領域に、消火剤を散布する消火手段と、
が設けられたことを特徴とする防災設備。
【請求項５】
請求項２記載の防災設備に於いて、
前記仕切手段は、前記防護対象区画の仕切状況に応じて前記防護対象区画の外側の区画を仕切ることを特徴とする防災設備。
【請求項６】
請求項３記載の防災設備に於いて、
前記消火手段は、他の仕切手段により仕切られた前記火災発生場所を含む任意の火災区画に前記消火剤を散布することを特徴とする防災設備。
【請求項７】
請求項６記載の防災設備に於いて、
前記火災区画の仕切手段に冷却剤を散布する冷却剤散布手段を備えたことを特徴とする防災設備。
【請求項８】
請求項１乃至７の何れかに記載の防災設備に於いて、前記仕切手段は、防火性、耐火性、耐熱性又は遮煙性を有する布状体を用いた仕切シートを有し、通常時は前記仕切シートを非展開状態に保持し、火災発生時に前記仕切シートの保持を解除して展開することにより前記防護対象区画、隣接する前記防護対象区画、又は前記火災区画を仕切ることを特徴とする防災設備。
【請求項９】
請求項３又は７記載の防災設備に於いて、前記冷却剤散布手段は前記冷却剤として消火用水を散布することを特徴とする防災設備。
【請求項１０】
請求項４又は６記載の防災設備に於いて、前記消火手段は前記消火剤として消火用水又は消火泡を散布することを特徴とする防災設備。
【請求項１１】
請求項３又は７記載の防災設備に於いて、前記冷却剤散布手段は、前記仕切手段の外側、内側、又は外側と内側に前記冷却剤を散布することを特徴とする防災設備。
【発明の詳細な説明】
【技術分野】
【０００１】
本発明は、発生した火災から人や物を防護する防災設備に関する。
【背景技術】
【０００２】
従来、監視区域で発生した火災を抑制消火する防災設備としては、火災感知器が火災を検出した場合に火災検出に連動して金属製の防火シャッターを閉鎖することにより防火区画を形成して火災の拡大を抑制する火災報知設備（特許文献１）や、火災による熱気流を受けてスプリンクラーヘッドが開放作動することで消火用水を散布して火災を抑制消火するスプリンクラー消火設備（特許文献２）が知られている。
【０００３】
また、機械式駐車場を対象とした防災カーテン消火システムが知られている（特許文献３）。この防災カーテン消火システムは、機械式駐車場の車両が入る駐車部を有する駐車ステージが多段に設けられ、各駐車部の天井の前部と両側部に防災カーテンが設けられ、火災感知器により駐車部の火災を検出すると防災カーテンが降下して前部と両側部を封鎖し、消火ノズルから消火ガスを噴出して消火するようにしている。
【先行技術文献】
【特許文献】
【０００４】
【特許文献１】特開２０１７−２１１７８０号公報
【特許文献２】特開２０１５−１４６８４０号公報
【特許文献３】特開平５−１５４２１６号公報
【発明の概要】
【発明が解決しようとする課題】
【０００５】
しかしながら、このような従来の防災設備にあっては、防火シャッターや防災カーテンにより火災発生場所を仕切ることで火災の拡大を抑制し、この状態で仕切り区画内部に消火用水を散布したり消火ガスを噴出して火災を抑制消火するものであるが、例えば、火災が発生した施設内に避難できずに人が残っていたり、焼失しては困る例えば価値の高い美術品や歴史的な遺品等が収納されていた場合、外部からの救出活動や消防活動により対処するしか方法がなく、対処するまでにはある程度の時間が必要となり、その間に火災が拡大して手遅れになる可能性があった。
【０００６】
本発明は、火災から人や物といった所定対象を防護することを可能とする防災設備を提供することを目的とする。
【課題を解決するための手段】
【０００７】
（防災設備の第１発明）
本発明は、火災から所定の対象を防護する防災設備に於いて、
火災発生時に、火災発生場所を除く任意の防護対象区画を仕切る仕切手段が設けられたことを特徴とする。
【０００８】
（防災設備の第２発明：多重の仕切区画）
本発明の別の形態にあっては、火災から所定の対象を防護する防災設備に於いて、
火災発生場所を除く任意の防護対象区画を仕切り、更に、該防護対象区画の外側に隣接する任意の防護対象区画を仕切ることを特徴とする。
【０００９】
（冷却剤散布）
少なくとも１の防護対象区画の仕切手段に冷却剤を散布する冷却剤散布手段を備える。
【００１０】
（消火剤散布）
全ての防護対象区画を除いた任意の領域に、消火剤を散布する消火手段が設けられる。
【００１１】
（多重区画の形態）
仕切手段は、防護対象区画の配置状況に応じて当該防護対象区画の外側に隣接する防護区画を仕切る。
【００１２】
（火災区画を仕切った消火剤散布）
消火手段は、仕切手段により仕切られた火災発生場所を含む任意の火災区画に消火剤を散布する。
【００１３】
（火災区画の仕切手段の冷却剤散布）
火災区画の仕切手段に冷却剤を散布する冷却剤散布手段を備える。
【００１４】
（仕切シートの保持と展開）
仕切手段は、防火性、耐火性、耐熱性又は遮煙性を有する布状体を用いた仕切シートを有し、通常時は仕切シートを非展開状態に保持し、火災発生時に仕切シートの保持を解除して展開することにより防護対象区画、隣接する防護対象区画、又は火災区画を仕切る。
【００１５】
（冷却剤の散布）
冷却剤散布手段は冷却剤として冷却剤を散布する。
【００１６】
（消火剤の散布）
消火手段は、消火剤として消火用水又は消火泡を散布する。
【００１７】
（仕切手段に対する冷却剤の散布方向）
冷却剤散布手段は、仕切手段の外側、内側、又は、外側と内側に、冷却剤を散布する。
【発明の効果】
【００１８】
（防災設備の第１発明の効果）
本発明は、火災から所定の対象を防護する防災設備に於いて、
火災発生時に、火災発生場所を除く任意の防護対象区画を仕切る仕切手段が設けられたため、建物の施設空間で火災が発生したときに、火災発生場所に対し仕切られた安全な防護対象区画が形成され、遮炎、遮煙、遮熱により、該仕切られた防護対象区画内の安全性が確保され、避難が困難となった状況で安全な避難場所を一時的に提供して外部からの消防活動や救難活動による対処に時間的な余裕を確保し、また、燃えては困る物品の周りを仕切るように防護対象区画が形成されることで、高価な美術品や歴史的価値の高い遺物等の防護対象を火災による焼失から防ぐことを可能とする。
【００１９】
（防災設備の第２発明の効果）
本発明の別の形態にあっては、火災から所定の対象を防護する防災設備に於いて、火災発生場所を除く任意の防護対象区画を仕切り、更に、該防護対象区画の外側に隣接する任意の防護対象区画を仕切るようにしたため、前述した第１発明の効果に加え、火災発生場所を除く安全な防護対象区画を例えば二重に仕切手段で囲むこととなり、遮炎、遮煙、遮熱により防護対象区画内の火災に対する高い安全性を確保可能とする。
【００２０】
（冷却剤散布）
また、少なくとも１の防護対象区画の仕切手段に冷却剤を散布する冷却剤散布手段を備えたため、防護対象区画を仕切っている仕切手段に冷却剤を散布することで、仕切手段の遮炎性、遮煙性、遮熱性をさらに高め、例えば火災時に防護対象区画内の安全性を確保可能とする。
【００２１】
（消火剤散布の効果）
また、全ての防護対象区画を除いた任意の領域に、消火剤を散布する消火手段が設けられたため、火災発生場所を含む火災区画を周囲から仕切るように閉鎖することで、遮炎、遮煙、遮熱により延焼防止、煙拡散防止の効果が期待でき、また、消火手段により消火剤を散布する相乗効果により、延焼防止性能を更に高めることが期待できる。
【００２２】
また、火災区画を閉鎖した仕切区画の内部に消火剤を散布することで、散布した消火剤が散逸することを抑制し、火災発生場所に対し集中した散布を可能として確実に火災を抑制消火でき、消火効率が向上すると共に、周囲に対する拡散が防止され、水損等を必要最小限に抑えることができる。
【００２３】
更に、火災区画の仕切手段に冷却剤を散布する冷却剤散布手段を備えたことで、火災区画の仕切手段を冷却剤、例えば冷却水の散布により濡らすことで、仕切手段の遮炎性、遮煙性、遮熱性をさらに高めることができる。
【００２４】
（多重区画の形態による効果）
また、第２発明の仕切手段は、火災発生場所を除く防護対象区画の配置状況に応じて防護対象区画の外側の火災発生場所を除く区画を仕切るようにしたため、例えば火災発生場所が施設空間の中央か壁際かにより当該施設空間内に発生した火災に対し安全な防護対象区画を形成する場所が異なることから、これに併せて仕切手段のみ又は仕切手段と側壁との組み合わせにより防護対象区画の外側を仕切ることができる。
【００２５】
（仕切シートの保持と展開による効果）
また、仕切手段は、防火性、耐火性、耐熱性又は遮煙性を有する布状体を用いた仕切シートを有し、通常時は仕切シートを非展開状態に保持し、火災発生時に仕切シートの保持を解除して展開することにより防護対象区画、隣接する防護対象区画、又は火災区画を仕切るようにしたため、布状である仕切シートは柔軟性があるので、床に障害物があっても、仕切シートを長めに採寸しておくことで、すき間の発生を抑制することができ、防護対象区画内への煙や熱の侵入を確実に防止、抑制して安全性を確保可能とし、また、火災区画については、すき間の発生を抑制することで、消火、延焼防止等の効果を高めることができる。
【００２６】
（冷却剤の散布による効果）
また、冷却剤散布手段により仕切手段に冷却剤、例えば冷却水を散布して濡らすことで、仕切手段の遮炎性、遮煙性、遮熱性をさらに高められ、仕切手段で仕切られた防護対象区画の火災に対する高い安全性を確保可能とする。
【００２７】
（消火剤の散布による効果）
また、消火手段は、消火剤として消火用水又は消火泡を散布し、冷却剤散布手段は冷却剤として冷却水を散布するようにしたため、仕切手段により仕切られた防護対象区画の外側の火災発生場所に消火用水又は消火泡を散布することで、有効な消火が期待できる。
【００２８】
（仕切手段に対する冷却剤の散布方向の効果）
また、冷却剤散布手段は、仕切手段の外側、内側、又は、外側と内側に、冷却剤を散布するようにしたため、仕切手段の例えば外側に冷却剤を散布することで、仕切手段の火災に対する直接的な遮炎性、遮煙性、遮熱性を高め、防護対象区画内の安全性を確保することができる。なお、ここでは区画の中心に向かう面側を内側、その反対面側を外側としている。
【図面の簡単な説明】
【００２９】
【図１】防災設備の実施形態を示した説明図
【図２】防災設備に設置されるシート展開装置の実施形態を示した説明図
【図３】防災設備に設けた火災受信盤、シート展開制御装置及び消火制御盤を示したブロック図
【図４】火災発生場所を除く区画の周囲４箇所に仕切シートを展開して安全な仕切区画を形成する防災設備の制御動作を示した説明図
【図５】図４の仕切シートの展開に対する冷却水の散布を平面で示した説明図
【図６】火災発生場所を除く壁際の区画の周囲２箇所に仕切シートを展開して安全な仕切区画を形成する防災設備の制御動作を示した説明図
【図７】図６の仕切シートの展開に対する冷却水の散布を平面で示した説明図
【図８】火災区画を除く二重の仕切区画を形成して仕切る実施形態を平面で示した説明図
【図９】二重仕切区画の他の例を平面で示した説明図
【発明を実施するための形態】
【００３０】
［防災設備］
図１は防災設備の実施形態を示した説明図、図２は防災設備に設置されるシート展開装置の実施形態を示した説明図であり、図２（Ａ）に通常状態を示し、図２（Ｂ）に火災時の仕切シートの展開状態、図２（Ｃ）は下側から見た平面を示す。更に図３は防災設備に設けた火災受信盤、シート展開制御装置及び消火制御盤を示したブロック図である。
【００３１】
［実施形態の基本的な概念］
本実施形態の防災設備１０は、倉庫等の広い施設空間１２内で火災が発生したときに、仕切手段として機能する防火性、耐火性又は耐熱性を有する布状体である仕切シート３６を展開し、施設空間内の領域において、火災発生場所を除く任意の区画Ａ１〜Ａ９の何れかを仕切シート３６により囲僥することにより閉鎖し、仕切シート３６により閉鎖された防護対象区画の外側領域に消火手段として機能する例えば消火ヘッド１８から消火剤として消火用水又は消火泡を散布し、また、展開した仕切シート３６に冷却剤散布手段として機能する冷却剤散布ヘッド２１から冷却剤として冷却水を散布するものであり、火災が発生したときに、火災発生場所から仕切シート３６の展開により仕切られた安全な防護対象区画が形成され、遮炎、遮煙、遮熱により防護対象区画内の安全性が確保され、避難が困難となった状況で安全な避難場所を一時的に提供して外部からの消防活動や救難活動による対処に時間的な余裕を確保し、また、燃えては困る物品（防護対象物）の周りを仕切るように防護対象区画が形成されることで、高価な美術品や歴史的価値の高い遺物等を火災による焼失から防ぐことを可能とする。
【００３２】
また、仕切シート３６の展開で仕切った防護対象区画の外側領域に消火用水又は消火泡等の消火剤を散布することで、防護対象区画の外側領域の火災を抑制消火でき、防護対象区画の外側領域の火災に対する安全性を可能な限り継続維持する。
【００３３】
また、防護対象区画を仕切っている仕切シート３６に冷却剤を散布することで、仕切シート３６の遮炎性、遮煙性、遮熱性をさらに高め、防護対象区画の外側領域の火災に対する安全性を確保可能とする。
【００３４】
ここで、仕切手段として機能する仕切シート３６は、施設空間１２内の火災発生場所を除く任意の防護対象区画を閉鎖して仕切区画を形成するものであるが、防護対象区画を閉鎖するとは、火災に伴う炎、煙又は熱の影響を抑止するように防護対象区画を閉鎖し、且つ、消火ヘッド１８により散布した消火剤の防護対象区画内への侵入を防止するという意味であり、仕切シート３６の展開により防護対象区画を完全に密封するように閉鎖する以外に、防護対象区画の周囲を囲僥するが上部は開口した閉鎖や、展開した複数の仕切シート３６の合わせ目に隙間が残る状態での閉鎖等を含むものである。
【００３５】
即ち、仕切手段として機能する仕切シート３６による防護対象区画の閉鎖とは、完全に閉鎖するのみならず、遮炎、遮煙、遮熱等の一定の効果が得られる程度に閉鎖する場合を含むものである。
【００３６】
（防災設備の概要）
図１に示すように、本実施形態の防災設備１０は、大型倉庫等の施設空間１２を対象に設置され、施設空間１２の天井側となる上部平面に、本実施形態にあっては仕切手段として機能する仕切シート３６を火災時に展開する１２台のシート展開装置１４を格子状に配置している。なお、シート展開装置１４は施設空間１２の天井面以外に、例えば天井面よりやや下側の空間位置に設置することも可能である。
【００３７】
ここで、シート展開装置１４の格子状の配置に対応した施設空間１２の点線で分けられた空間を、シート展開装置１４による仕切シートの展開により閉鎖される区画Ａ１〜Ａ９とする。また、施設空間１２における区画のサイズ、形状、区画数は、シート展開装置１４により展開する仕切シートのサイズに応じて任意に定められる。
【００３８】
（シート展開装置）
シート展開装置１４は、図２（Ａ）に示すように、装置本体３４を施設空間１２の天井面側に固定し、装置本体３４に仕切シート３６の一端をシート固定部３７により固定し、仕切シート３６はロール状に巻き回された状態で装置本体３４の下側にワイヤ又はロープを用いた保持部材３８により左右２箇所で吊下げ状態に保持されている。
【００３９】
仕切シート３６は、防火性、耐火性、耐熱性又は遮煙性を有する布状体であり、例えば１２００℃の高熱に耐えることができ、耐火シート、耐火カーテン、耐火幕等とも呼ばれるシートである。なお、仕切シート３６としては、１２００℃以下であっても、例えば数百度以上の耐熱性能を持つものであれば良い。
【００４０】
ワイヤ又はロープを用いた保持部材３８は一端が装置本体３４に固定され、他端はロール状に巻かれた仕切シート３６の下側を通して装置本体３４に設けられたラッチ解除作動部４０に着脱自在に保持され、抜け止めされている。ラッチ解除作動部４０は、外部信号による例えばソレノイドの通電によりラッチを解除する。
【００４１】
シート展開装置１４は、火災時に外部からの作動信号によりラッチ解除作動部４０を作動すると保持部材３８の一端の保持が解除され、仕切シート３６は図２（Ｂ）に示すように、仕切シート３６の一端が装置本体３４に固定された状態で自重により落下して下方に展開される。
【００４２】
ここで、図２（Ｂ）のように展開した仕切シート３６の長さは、シート展開装置１４の設置高さよりも長めに採寸しておくようにする。これは防護対象区画の下面となる床面に荷物や設備機器等が置かれている場合があり、落下展開したときに、例えば仕切境界部の床面に機材等の物品があってもシートの弛みにより隙間ができにくいようにするためである。
【００４３】
また、仕切シート３８を展開した状態で仕切区画を安全な避難区画として利用できるようにするため、展開した仕切シート３８の下側には、上下にスリットを入れることで例えば上下に開閉自在な垂れ幕による出入口４８が形成されている。また、出入口４８の上部には「非常口」といった表示５０が設けられる。なお、出入口４８の上部には、シート展開に連動して動作する電池駆動の非常灯を設けても良い。
【００４４】
再び図１を参照するに、施設空間１２の近傍にはシート展開制御装置２２が設置され、図３に示すように、信号回線３０ｂを介して施設空間１２に設置された１２台のシート展開装置１４のラッチ解除作動部４０を接続しており、各シート展開装置１４のラッチ解除作動部４０を個別に作動して仕切シート３６を上下方向に展開可能としている。
【００４５】
図１及び図３に示したシート展開制御装置２２には、区画Ａ１〜Ａ９の何れかで火災が発生した場合、火災が発生した区画を火災区画Ａｆとすると、火災区画Ａｆ以外の任意の防護対象区画Ａｉを囲むように仕切シート３６を展開するため、区画Ａｉ＝Ａ１〜Ａ９に対応して作動すべきシート展開装置１４の関係が予め記憶されている。
【００４６】
ここで、仕切シート３６を展開する防護対象区画Ａｉは、火災区画Ａｆから２区画以上離れた区画とするのが好ましい。また。施設空間１２に非常口が設置されている場合には、非常口に近い場所を防護対象区画Ａｉとするのが好ましい。また。防護対象物がある場合は、その物品の置き場所を防護対象区画Ａｉとする。また、施設空間１２の中に、防護対象物の置き場所を予め定め、そこを防護対象区画Ａｉとする。なお、焼失して困る物品の置き場所を防護対象区画Ａｉとした場合、そこは同時に避難が困難となった状況での避難区画となる。
【００４７】
なお、シート展開装置１４としては、仕切シート３６を回転軸に巻き、火災時に回転軸のラッチを解除して仕切シート３６を自重で落下展開させる構造としてもよい。また、シート展開装置１４の仕切シート３６を蛇腹状に折り畳んだ状態で保持し、火災時に保持を解除して落下展開させる構造としてもよい。
【００４８】
（火災報知設備）
図１に示す施設空間１２における区画Ａ１〜Ａ９の天井面側の各々には火災感知器１６が設置され、図１及び図３に示すように、火災受信盤２４から引き出された信号回線３０ａに接続されている。
【００４９】
火災感知器１６は例えば伝送機能を備えると共に固有のアドレスが設定されており、火災発報した場合にアドレスを含む火災信号を送信することで、火災受信盤２４は区画Ａ１〜Ａ９のどの場所で火災が発生したかを識別でき、火災警報を出力すると共に、火災が発生した火災区画Ａｆを示す移報信号を消火制御盤２８に送信するようにしている。
【００５０】
このためシート展開制御装置２２は、火災受信盤２４から移報信号により受信した火災区画Ａｆに対応して、火災区画Ａｆから例えば最も離れた防護対象区画Ａｉの周囲を囲むようにシート展開装置１４を作動して仕切シート３６を展開させる。
【００５１】
（消火設備）
図１に示す施設空間１２における区画Ａ１〜Ａ９の天井面側の各々には、消火手段として、例えば消火用水又は消火泡を散布する消火ヘッド１８が配置され、消火ヘッド１８は開閉弁２０を介して消火剤供給設備２６からの消火配管３２に接続されている。
【００５２】
消火剤供給設備２６は消火ポンプ設備又は泡消火ポンプ設備であり、火災受信盤２４で火災警報が出力された場合、消火ポンプ設備の起動により消火用水が供給されるか、又は泡消火ポンプ設備の起動により泡消火液が供給される。なお、消火ポンプ設備又は泡消火ポンプ設備の起動は、手動操作による起動又は火災受信盤２４からの移報信号による連動起動とする。ここで、消火剤供給設備２６、消火ヘッド１８、これらを接続する配管および開閉弁２０は消火手段を構成する。なお、消火ヘッド１８に代えて散水ヘッドを設け、防護対象区画の外側領域へ散布する消火剤を消火用水としても良い。
【００５３】
開閉弁２０に対しては、図１及び図３に示すように、消火制御盤２８から引き出された信号回線３０ｃが接続されている。
【００５４】
消火制御盤２８は、シート展開制御装置２２による仕切シート３６の展開で仕切られた防護対象区画Ａｉの外側領域に消火用水又は消火泡の散布を行う。例えば、消火制御盤２８は火災受信盤２４から移報信号により防護対象区画Ａｉの外側領域となる火災区画Ａｆに配置した開閉弁２０に開駆動信号を送信して開放させ、火災発生場所となる火災区画Ａｆへの消火用水又は消火泡の散布を行う。また、シート展開制御装置２２による仕切りシート３６の展開で火災区画Ａｆを仕切り、且つ、防護対象区画Ａｉを仕切り、前者を消火、後者を防護しても良い。
【００５５】
ここで、消火制御盤２８による開閉弁２０の開放により消火剤、例えば消火用水又は消火泡を散布するときには、火災区画Ａｆ外の防護対象区画Ａｉを囲むように対応するシート展開装置１４を作動して仕切シート３６を展開している必要があることから、仕切シート３６の展開を係員がシート展開制御装置２２の表示から確認した後に、手動操作により対応する開閉弁２０を開駆動させて火災区画Ａｆに消火用水又は消火泡を散布させる。勿論、シート展開制御装置１４のシート展開作動に連動して消火制御盤２８で自動機に火災区画Ａｆに対応する開閉弁２０を開駆動しても良い。
【００５６】
区画Ａ１〜Ａ９の中の火災区画Ａｆに消火剤を散布する消火手段としては、区画Ａ１〜Ａ９毎に閉鎖型のスプリンクラーヘッドを設けてもよいし、また、放水ノズルから消火用水を区画Ａ１〜Ａ９の中の火災区画Ａｆに放水する放水銃装置を設けてもよい。
【００５７】
また、火災区画Ａｆが火災の拡大により複数区画に増加した場合は、増加した火災区画Ａｆ＋ｎ（ｎ＝１，２，・・・）に対しても開閉弁２０に開駆動信号を送信して開放させ、増加した火災区画Ａｆ＋ｎへの消火用水又は消火泡の散布を行う。
【００５８】
また、消火制御盤２８は、全ての防護対象区画Ａｉを除いた、任意の領域に、消火剤を散布するようにしても良い。
【００５９】
［シート冷却設備］
図１に示した施設空間１２の天井側となる上部平面に格子状に配置されたシート展開装置１４には、火災時に展開した仕切シート３６に冷却剤として例えば水を散布する冷却剤散布ヘッド２１が設けられる。
【００６０】
図２のシート展開装置１４に示すように、装置本体３４の両側に取り出された配管に冷却剤散布手段である冷却剤散布ヘッド２１が設けられており、各冷却剤散布ヘッド２１に対しては装置本体３４内を通して冷却配管３３が開閉弁３５を介して接続され、火災時に図１に示す冷却剤供給設備２７から消火用水の供給を受けて、図２（Ｂ）のように展開した仕切シート３６の防護対象区画の例えば外側シート面に冷却剤として水を散布する。なお、図１は開閉弁３５を省略している。
【００６１】
冷却剤供給設備２７は送水ポンプ設備であり、消火制御盤２８による消火剤供給設備２６に連動して起動される。また、開閉弁３５に対しては、図３に示すように、消火制御盤２８から引き出された信号回線３０ｄが接続され、消火制御盤２８は、シート展開制御装置２２からのシート展開制御信号の受信に基づく防護対象区画Ａｉを仕切るシート展開装置１４の外側シート面に対応した開閉弁３５に開駆動信号を送信して開放させ、展開した仕切シート３６の外側シート面に冷却水を略均一に散布させる。
【００６２】
また、仕切シート３６は布織目の表面に樹脂等をコーティングしたものとコーティングしていないものがあり、非コーティングの仕切シート３６を使用した場合、冷却剤散布ヘッド２１から散布された冷却水は、展開した仕切シート３６の外側シート面を濡らし、散布した冷却水を布の織目構造をもつ仕切シート３６に含浸され、外側シート面に沿って流れ落ちる。このような冷却水の含浸と外側シート面に沿った流れ落ちにより、仕切シート３６の布織目の隙間が閉鎖され、遮煙性が向上し、仕切シート３６の内側への煙の流入が抑制される。また、冷却水の含浸と外側シート面に沿った流れ落ちにより、仕切シート３６が冷却され、遮炎性と遮熱性が高められる。
【００６３】
ここで、冷却剤散布ヘッド２１から展開した仕切シート３６の外側シート面に冷却水を散布している理由は、火災に対する遮熱、遮炎、遮煙の効果を高めるためである。
【００６４】
なお、仕切シート３６の展開で仕切られた対象空間内の遮熱、遮炎、遮煙の効果を更に高めるためには、内側シート面に冷却水を散布するようにしても良いし、シート面の内側と外側の両方に冷却水を散布するようにしても良い。
【００６５】
また、消火剤供給設備２６と冷却剤供給設備２７を共用し、同じく、消火配管３２と冷却配管３３を共用するようにしても良い。
【００６６】
なお、防護対象区画を仕切る仕切シート３６に対しては冷却水を散布せず、仕切シート３６の展開により防護対象空間を単に仕切るだけとし、その外側の領域に消火剤を散布するようにしても良い。
【００６７】
また、防護対象区画を複数形成した場合には、少なくとも１つの防護対象区画を仕切る仕切シート３６に冷却水を散布するようにしても良い。
【００６８】
［防災設備の制御動作］
図４は火災発生場所を除く区画の周囲４箇所に仕切シートを展開する防災設備の制御動作を示した説明図あり、冷却剤散布ヘッド２１は図示を省略している。図５は図４の仕切シートの展開に対する冷却水の散布を平面で示した説明図である。
【００６９】
図４に示すように、区画Ａ１で火災４４が発生して火災感知器１６が火災発報したとすると、火災が発生した火災区画Ａ1とは異なる例えば防護対象区画Ａ５の上方の天井面に矩形配置された４台のシート展開装置１４のラッチ解除作動部４０が作動されて保持部材３８のラッチが解除され、ロール状に巻かれた仕切シート３６の保持が解除されて落下し、防護対象区画Ａ５の周囲４面を囲むように仕切シート３６が展開され、防護対象区画Ａ５の周囲が閉鎖される。
【００７０】
このため火災区画Ａ１の火災による炎、煙及び熱は、防護対象区画Ａ５の周囲を囲んで展開された仕切シート３６により遮られ、その内側への侵入が阻止され、これにより安全な防火区画を形成することができる。
【００７１】
また、火災区画Ａ１に対しては開閉弁２０の開駆動により消火ヘッド１８から消火泡が散布され、火災区画Ａ１で発生している火災を確実に防止し、消火させることが可能となる。加えて、火災区画Ａ１の仕切シート３６に冷却剤を散布するようにしても良い。
【００７２】
なお、仕切シート３６の展開により周囲が囲まれた防護対象区画Ａ５にあっては、４枚の仕切シート３６の合わせ目に隙間が発生するが、この隙間部分を閉鎖するように、例えばコーナー部分の内側を斜め横切るように補助用の仕切シートを展開して閉鎖するようにしてもよい。
【００７３】
また、図５に示すように、防護対象区画Ａ５を囲んで仕切シート３６を展開した４台のシート展開装置１４の外側に設けられた冷却剤散布ヘッド２１からは冷却水が外側シート面に対し散布され、仕切シート３６の遮炎性、遮煙性及び遮熱性が高められ、また、外側シート面に沿って流れ落ちることで高い冷却効果が得られることで、耐熱性が高められる。更に、展開した仕切シート３６に沿って冷却水が流れ落ちることで仕切シート３６の重量が増加し、シートを下に引いて広げる力が加わることで展開した仕切シート３６の張りを強くして形を保つことができる。
【００７４】
なお、火災区画Ａ１に対しては防護対象区画Ａ５の周囲を囲むように仕切シート３６を展開する以外に、火災区画Ａ１から２区画以上離れた区画Ａ３，Ａ６，Ａ７，Ａ８，Ａ９の少なくとも何れかを防護対象区画として閉鎖するように仕切シート３６を展開しても良い。
【００７５】
図６は対象区画を囲む周囲２箇所に仕切シートを展開する防災設備の制御動作を示した説明図であり、冷却剤散布ヘッド２１は図示を省略している。図７は図６の仕切シートの展開に対する冷却水の散布を平面で示した説明図である。
【００７６】
図６に示すように、火災区画Ａ１の外側領域の防護対象区画Ａ７を仕切シートの展開で仕切る場合は、対象空間Ａ７が施設空間１２のコーナーに位置することから、天井面側に配置された２台のシート展開装置１４の作動による仕切シート３６の展開で、防護対象区画Ａ７の外側領域を囲んで閉鎖して安全性を確保する。
【００７７】
また、図７に示すように、防護対象区画Ａ７を囲んで仕切シート３６を展開した２台のシート展開装置１４の外側領域に設けられた冷却剤散布ヘッド２１からは冷却水が外側シート面に対し散布され、散布された冷却水は仕切シート３６に含浸して布織目が閉鎖されることで、遮炎性、遮煙性及び遮熱性が高められ、また、外側シート面に沿って流れ落ちることで高い冷却効果が得られ、耐熱性が高められる。
【００７８】
この点は、施設空間１２のコーナーに位置する図１に示した区画Ａ１，Ａ３，Ａ９についても同様である。
【００７９】
更に、図１に示した区画Ａ２，Ａ４，Ａ６，Ａ８については、それぞれ３台のシート展開装置１４を作動して仕切シート３６を展開させることで、各区画Ａ２，Ａ４，Ａ６，Ａ８の外側領域を囲んで閉鎖し、安全性を確保する。
【００８０】
更に、安全性を確保したい場所が区画の境界を含んでいた場合には、境界を挟む両側の区画に配置しているシート展開装置１４を作動して仕切シート３６を展開させる。
【００８１】
例えば、図１の区画Ａ４と区画Ａ５の境界を含む場所の安全性を確保するには、区画Ａ４，Ａ５の両方を囲む６台のシート展開装置１４を作動して仕切シート３６を展開させ、消火ヘッド１８からの散布も区画Ａ４，Ａ５の両方で行う。
【００８２】
このとき、区画Ａ４，Ａ５の境界に位置するシート展開装置１４は作動させないようにしても良い。
【００８３】
［多階層の仕切区画を形成する実施形態］
図８は火災区画の外側に二重の仕切区画を形成して仕切る実施形態を平面で示した説明図、図９は二重の仕切区画の他の例を平面で示した説明図である。
【００８４】
図８に示すように、本実施形態にあっては、施設空間１２を平面でみて５×５＝２５の区画Ａ１〜Ａ２５に対応して天井側にシート展開装置１４を配置している。シート展開装置１４は図２に示したと同じであり、また、区画Ａ１〜Ａ２５には、図１に示したように、火災感知器１６と消火ヘッド１８が設けられている。
【００８５】
ここで、区画Ａ１で火災が発生したとすると、火災区画Ａ１の外側領域の斜線で示す防護対象区画Ａ１３を矩形に囲む４台のシート展開装置１４を太い実線で示すように作動して仕切シート３６を展開させ、防護対象区画Ａ１３を仕切る第１階層の防護対象区画を形成する。
【００８６】
これ加え本実施形態にあっては、防護対象区画Ａ１３の外側領域に隣接する区画Ａ７，Ａ８，Ａ９，Ａ１４，Ａ１９，Ａ１８，Ａ１７，Ａ１２の外周を仕切るように、太い実線で示す１２台のシート展開装置を作動して仕切シート３６を展開させて第２階層の防護対象区画を形成し、防護対象区画Ａ１３を二重に囲んで防護することで、火災区画Ａ１に対しより高い安全性を確保する。
【００８７】
この場合、火災区画Ａ１に対して消火ヘッド１８から消火泡を散布し、また、防護対象区画Ａ１３を囲む第１階層の４台のシート展開装置１４につき、冷却剤散布ヘッド２１から冷却水を外側シート面に散布する。また、第２階層についても冷却水を散布しても良い。このとき、第１階層と第２階層の冷却剤の種類や散布態様を異ならせても良い。例えば、冷却水による水損を抑制するため、例えば、第２階層の冷却水は第１階層より少量としても良い。このようにすれば、全体として不要な水損域の拡大を防止することができる。
【００８８】
ここで、第２階層の区画を仕切る仕切シートに対する冷却水の散布は、対象区画側の面（内側シート面）に対して行うようにしても良い。
【００８９】
このように本実施形態は、火災発生場所に対して防護対象区画に第１階層と第２階層の防護対象区画を形成するようにシート展開装置１４を作動させることで、第１階層の防護対象区画の内側に対する遮炎性、遮煙性、遮熱性を更に高めて安全性を確実に確保することができる。
【００９０】
なお、図８の太い実線と太い破線の計２０台のシート展開装置を作動して二重の防護対象区画を形成するようにしても良い。この場合も、太い実線のシート展開装置の仕切シート外側面に冷却水を散布するようにすれば良いし、場合によって内側面に散布するようにしても良い。
【００９１】
また、本実施形態にあっては、火災発生場所から例えば２区画離れた防護対象区画の配置状況に応じて火災発生場所から仕切るようにシート展開装置１４を作動させる。図９（Ａ）は区画Ａ１で火災が発生した場合であり、火災区画Ａ１の、施設空間における外側領域のコーナー部に近い防護対象区画Ａ１９の周囲を囲む区画Ａ１３，Ａ１４，Ａ１５，Ａ２０，Ａ２５，Ａ２４，Ａ２３，Ａ１８の外側領域を仕切るように、太い実線で示す６台のシート展開装置１４を作動して仕切シート３６を展開させ、安全性を確保したい場所を二重に囲む仕切区画を形成する。
【００９２】
また、図９（Ｂ）は、火災区画Ａ１の外側領域の、施設空間における壁際の防護対象区画Ａ２４の周囲を囲む区画Ａ２３，Ａ１８，Ａ１９，Ａ２０，Ａ２５の外側領域を仕切るように、太い実線で示す５台のシート展開装置１４を作動して仕切シート３６を展開させ、安全性を確保したい防護対象区画Ａ２４を二重に囲む仕切を形成する。
【００９３】
また、図９（Ｃ）は、火災区画Ａ１の外側の、施設空間領域のコーナーの防護対象区画Ａ２５の周囲を囲む区画Ａ２４，Ａ１９，Ａ２０の外周を仕切るように、太い実線で示す４台のシート展開装置１４を作動して仕切シート３６を展開させ、安全性を確保したい場所を二重に囲む仕切区画を形成する。
【００９４】
これ以外の安全性を確保したい防護対象区画にも、同様に二重に囲む仕切区画を形成するように、シート展開装置１４を作動させる。
【００９５】
また、安全性を確保したい防護対象区画を中心とした多階層の仕切区画の形成は、施設空間の利用状況や防護したい状況に合わせ、三重、四重等のように更に多階層の仕切区画を形成するように仕切シート３６を展開しても良い。この場合、例えば、一部を二重とし、他を三重というように異なる階層数を組み合わせて仕切るようにしても良い。
【００９６】
また、防護対象区画を囲む多階層の仕切区画の形成にあっては、展開した仕切シートに冷却剤を散布せず、防護対象区画を多階層に囲むように仕切シートを展開するだけとし、その外側領域に消火剤を散布するようにしても良い。
【００９７】
また、火災区画を多重に囲むようにしても良く、多重に形成した火災区画の仕切シートの一部又は全部に冷却剤を散布しても良い。その際、シートの内側に散布、外側に散布、両側に散布、またそれらを組み合わせた散布とすることができる。また、多重の火災区画の一部又は全部の内部に消火剤を散布することができる。
【００９８】
また、多重に形成した火災区画について、階層によって消火剤の種類や散布態様を異ならせても良い。例えば、第１階層の区画内部へ消火泡を散布し、第２階層区画には消火用水を散布するようにしても良く、また例えば、第１階層の区画内部に対する消火用水の散布量に対して第２階層の消火用水の散布量を少量としても良い。このようにすれば、例えば全体として消火剤散布による損害域を不要に拡大することが防止される。
【００９９】
また、防護対象区画や火災区画を多重に形成する場合に、例えば、必ずしも第１階層の区画境界（外周）に直接的に接する区画を第２階層とする必要は無く、第１階層区画境界に接する区画の更に外側の区画を第２階層としても良いし、第１階層境界と直接的に接する区画と更にその外側の区画を組み合わせて第２階層を形成しても良い。即ち、「隣接する区画」は第１階層の外側境界に直接的に接する区画に限定されない。
【０１００】
また防護対象区画や火災区画の第１階層は、必ずしも最小単位の区画（１区画）である必要は無く、必要に応じ複数の区画を仕切って第１階層を形成しても良い。
【０１０１】
［本発明の変形例］
（対象施設）
上記の実施形態は、対象施設として広い施設空間をもつ倉庫等を対象にしているが、これに限定されず、適宜の施設に適用することができる。例えば、倉庫以外に、トンネル、展示施設、駐車施設、大規模工場等が対象となり得る。
【０１０２】
また、倉庫の他の態様として、多数のラック棚が配置されたラック倉庫があり、ラック倉庫にはラック棚に対しフォークリフトの運転により荷物を出し入れする手動倉庫と、スタッカクレーンによりラック棚に対し荷物を自動的に出し入れする自動倉庫があるが、いずれも本発明による防災設備の対象に含まれる。
【０１０３】
（シート展開装置）
上記の実施形態は、施設空間の上部平面に複数のシート展開装置を格子状に配置した場合を例にとっているが、火災発生場所の外側領域を取り囲むように仕切シートを展開することができれば、シート展開装置の配置は必要に応じて適宜の配置とする。
【０１０４】
また、例えば火災区画や防護対象区画の１区画の横幅が長くなる場合は、複数台のシート展開装置を幅方向に縦列して配置するようにしても良い。この場合、隣接する仕切シートが端部で重なって隙間を塞ぐように複数台のシート展開装置を横に並べて配置する。
【０１０５】
（火災検知手段）
また、上記の実施形態は、火災検知手段として、スポット型の火災感知器により区画の火災を検知しているが、これに限定されず、減光式分離型の火災感知器、水平及び垂直回りに走査して火災位置を検知する走査型火災検知器、火災による炎を検知する炎検知器、区画の画像を監視カメラで撮像して火災を検知する装置等、火災発生場所となる区画を特定できるものであれば、適宜の火災を検知する装置を含む。
【０１０６】
（その他）
また、本発明はその目的と利点を損なうことのない適宜の変形を含み、更に上記の実施形態に示した数値による限定は受けない。
【符号の説明】
【０１０７】
１０：防災設備
１２：施設空間
１４：シート展開装置
１６：火災感知器
１８：消火ヘッド
２０，３５：開閉弁
２１：冷却剤散布ヘッド
２２：シート展開制御装置
２４：火災受信盤
２６：消火剤供給設備
２７：冷却剤供給設備
２８：消火制御盤
３０ａ〜３０ｄ：信号回線
３２：消火配管
３３：冷却配管
３４：装置本体
３６：仕切シート
３７：シート固定部
３８：保持部材
４０：ラッチ解除作動部
４８：出入口
５０；非常灯
Ａ１〜Ａ２５：区画
【図１】
2020139376.tif 000003
【図２】
2020139376.tif 000004
【図３】
2020139376.tif 000005
【図４】
2020139376.tif 000006
【図５】
2020139376.tif 000007
【図６】
2020139376.tif 000008
【図７】
2020139376.tif 000009
【図８】
2020139376.tif 000010
【図９】
2020139376.tif 000011